(57)【要約】【課題】周辺の明るさを検出する専用の光センサを設けるようにした場合は、カメラ付き携帯端末では、小型、薄型化が厳しく要求されるため、部品を増やすことで表示部や操作部の明るさの調整機能を実現していくには限界がある。【解決手段】撮像素子の撮像領域から出力される光電変換された信号のうち、画像表示に用いる撮像信号を出力する第１の撮像領域により構成される撮像部１１ａと、撮像素子の撮像領域のうち画像表示に用いない光電変換された信号を出力する第２の撮像領域により構成される調光部１１ｂとを備え、ＴＧ１２から撮像時には撮像部１１ａのみに駆動信号を供給し、非撮像時には調光部１１ｂのみに駆動信号を供給する。調光部１１ｂからの信号は、露光制御処理部１４において周囲の明るさ情報ａを生成するために用いられる。輝度調整部１６は周囲の明るさ情報ａに基づいて、ディスプレイ１７の輝度を調整する。【選択図】図１
2008113333.tif 000002
【特許請求の範囲】
【請求項１】
搭載した撮像素子からの光電変換された信号を用いて画像表示をディスプレイに行うカメラ付き携帯端末において、
前記撮像素子の撮像領域から出力される前記光電変換された信号のうち、画像表示に用いる撮像信号を出力する第１の撮像領域により構成される撮像部と、
前記撮像素子の撮像領域のうち画像表示に用いない前記光電変換された信号を出力する第２の撮像領域により構成される調光部と、
操作部からの指示に基づき、カメラとして機能させる撮像時には前記撮像部のみに駆動信号を供給し、非撮像時には前記調光部のみに駆動信号を供給することで、前記撮像部と前記調光部とを互いに独立して動作させる駆動手段と、
動作状態にある前記撮像部又は前記調光部から出力される前記光電変換された信号に基づいて、前記撮像部又は前記調光部の入射光量に応じた、周囲の明るさ情報を生成する明るさ情報生成手段と、
前記周囲の明るさ情報に応じて前記ディスプレイの輝度及び前記操作部のキーのバックライトの輝度のうちどちらか一方又は両方を調整する輝度調整手段と
を有することを特徴とするカメラ付き携帯端末。
【請求項２】
撮像時に前記撮像部から出力される前記光電変換された信号に対して所定の撮像処理を行って画像信号を生成する回路部の動作を、非撮像時に前記調光部から出力される前記光電変換された信号に対して停止することを特徴とする請求項１記載のカメラ付き携帯端末。
【請求項３】
前記ディスプレイの起動時に前記駆動手段を制御して前記調光部のみに前記駆動信号を供給し、前記ディスプレイの表示を停止する省電力モード時には前記駆動手段を制御して、前記撮像部及び前記調光部への前記駆動信号の供給を停止する制御手段を更に有することを特徴とする請求項１記載のカメラ付き携帯端末。
【請求項４】
前記輝度調整手段による輝度調整後に、前記明るさ情報生成手段により生成される前記周囲の明るさ情報が所定値以上に大きく変化したときに、前記明るさ情報生成手段により生成された前記周囲の明るさ情報に基づいて再度前記輝度調整手段による輝度の調整を行うことを特徴とする請求項１記載のカメラ付き携帯端末。
【請求項５】
操作を行う操作部を有すると共に、搭載した撮像素子からの光電変換された信号を用いて画像表示をディスプレイに行うカメラ付き携帯端末において、
前記ディスプレイの起動時に前記撮像素子から出力される前記光電変換された信号に基づいて、前記撮像素子の入射光量に応じた、周囲の明るさ情報を生成する明るさ情報生成手段と、
前記周囲の明るさ情報に応じて前記ディスプレイの輝度及び前記操作部のキーのバックライトの輝度のうちの一方又は両方を調整する輝度調整手段と
を有することを特徴とするカメラ付き携帯端末。
【請求項６】
前記輝度調整手段は、前記ディスプレイが液晶表示素子により構成されているときは、該液晶表示素子に対して光を照射するバックライトに対する駆動電流を調整し、前記ディスプレイが有機ＥＬで構成されているときは、該有機ＥＬの駆動電流を調整することを特徴とする請求項１又は５記載のカメラ付き携帯端末。
【請求項７】
照明装置により照明される被写体を撮像する撮像素子からの光電変換された信号を用いて画像表示をディスプレイに行うカメラ装置において、
撮像素子の撮像領域から出力される前記光電変換された信号のうち、画像表示に用いる撮像信号を出力する第１の撮像領域により構成される撮像部と、
前記撮像素子の撮像領域のうち画像表示に用いない前記光電変換された信号を出力する第２の撮像領域により構成される調光部と、
操作部からの指示に基づき、カメラとして機能させる撮像時には前記撮像部のみに駆動信号を供給し、非撮像時には前記調光部のみに駆動信号を供給することで、前記撮像部と前記調光部とを互いに独立して動作させる駆動手段と、
動作状態にある前記撮像部又は前記調光部から出力される前記光電変換された信号に基づいて、前記撮像部又は前記調光部の入射光量に応じた、周囲の明るさ情報を生成する明るさ情報生成手段と、
前記周囲の明るさ情報に応じて前記照明装置の照明輝度を調整する輝度調整手段と
を有することを特徴とするカメラ装置。
【請求項８】
撮像時に前記撮像部から出力される前記光電変換された信号に対して所定の撮像処理を行って画像信号を生成する回路部の動作を、非撮像時に前記調光部から出力される前記光電変換された信号に対して停止することを特徴とする請求項７記載のカメラ装置。
【請求項９】
照明装置により照明される被写体を撮像する撮像素子からの光電変換された信号を用いて画像表示をディスプレイに行うカメラ装置において、
前記ディスプレイの起動時に前記撮像素子から出力される前記光電変換された信号に基づいて、前記撮像素子の入射光量に応じた、周囲の明るさ情報を生成する明るさ情報生成手段と、
前記周囲の明るさ情報に応じて前記照明装置の輝度を調整する輝度調整手段と
を有することを特徴とするカメラ装置。
【発明の詳細な説明】
【技術分野】
【０００１】
本発明はカメラ付き携帯端末及びカメラ装置に係り、特にカメラ付き携帯電話やデジタルカメラ等のカメラを搭載した携帯端末及びカメラ装置に関する。
【背景技術】
【０００２】
現在、携帯電話、デジタルカメラ、パーソナルコンピュータ（以下、パソコン）などのニーズは小型、薄型化やデザイン重視の傾向がある。一方、携帯電話、デジタルカメラ、パソコンなどのディスプレイ、キー入力部の視認性向上は、ユーザーの関心が高い問題であり、光センサを用いて周囲の明るさ情報を取得し、ディスプレイやキー照明の明るさを調整し視認性を向上させる動きは、携帯電話、デジタルカメラ、パソコンなどに導入されてきている（例えば、特許文献１参照）。
【０００３】
特許文献１には、ユーザーにより照明モードに操作されると、イメージセンサより明るさに関する電気信号（撮像信号）を取得し、その電気信号を所定の２つの閾値と比較し、その比較結果に基づき本体周辺の明るさが所定の範囲内にあるかどうか判定し、本体周辺の明るさが所定の範囲内にあると判定したときは、本体周辺の明るさが若干暗い程度であるので、操作部や表示部のバックライトとして機能する発光ダイオード（ＬＥＤ）を最も低い輝度で点灯することで視認性を確保しつつ消費電力を低減し、本体周辺の明るさが所定の範囲よりも明るいと判定したときは、上記のＬＥＤを最大輝度で点灯して視認性を確保し、本体周辺の明るさが所定の範囲内よりも暗いと判定したときは、上記のＬＥＤを消灯することで消費電力を低減する構成のカメラ付き携帯電話機が開示されている。
【０００４】
【特許文献１】特開２００３−１１０６８１号公報（第３−４頁）
【発明の開示】
【発明が解決しようとする課題】
【０００５】
しかるに、上記の特許文献１記載の従来のカメラ付き携帯電話機では、照明モードのときにのみイメージセンサの出力電気信号を利用して本体周辺の明るさの検出を行っているため、通常の撮影モードのときには本体周辺の明るさを検出することができず、ＬＥＤの輝度制御ができない。
【０００６】
一方、周辺の明るさを検出する専用の光センサを設けるようにした場合は、カメラの使用の有無に拘らず、光センサで常時周辺の明るさを検出して表示部や操作部の明るさの調整が可能となるが、カメラを搭載したカメラ付き携帯端末では、小型、薄型化が厳しく要求されるため、部品を増やすことで表示部や操作部の明るさの調整機能を実現していくには限界がある。
【０００７】
本発明は以上の点に鑑みなされたもので、撮像素子に光センサ機能を付加することで、光センサなどの専用部品を追加することなく、操作部や表示部の視認性の向上と、端末自体の小型化、薄型化との両立を可能とし得るカメラ付き携帯端末及びカメラ装置を提供することを目的とする。
【課題を解決するための手段】
【０００８】
上記の目的を達成するため、第１の発明は、搭載した撮像素子からの光電変換された信号を用いて画像表示をディスプレイに行うカメラ付き携帯端末において、撮像素子の撮像領域から出力される光電変換された信号のうち、画像表示に用いる撮像信号を出力する第１の撮像領域により構成される撮像部と、撮像素子の撮像領域のうち画像表示に用いない光電変換された信号を出力する第２の撮像領域により構成される調光部と、操作部からの指示に基づき、カメラとして機能させる撮像時には撮像部のみに駆動信号を供給し、非撮像時には調光部のみに駆動信号を供給することで、撮像部と調光部とを互いに独立して動作させる駆動手段と、動作状態にある撮像部又は調光部から出力される光電変換された信号に基づいて、撮像部又は調光部の入射光量に応じた、周囲の明るさ情報を生成する明るさ情報生成手段と、周囲の明るさ情報に応じてディスプレイの輝度及び操作部のキーのバックライトの輝度のうちのどちらか一方又は両方を調整する輝度調整手段とを有することを特徴とする。
【０００９】
この発明では、撮像素子の一つの撮像領域を、撮像信号を出力する第１の撮像領域と画像表示に用いない光電変換された信号を出力する第２の撮像領域とに分け、第１の撮像領域により構成される撮像部と第２の撮像領域により構成される調光部とを互いに独立して駆動し、動作状態にある撮像部又は調光部から出力される光電変換された信号に基づいて、撮像部又は調光部の入射光量に応じた、周囲の明るさ情報を生成して、その周囲の明るさ情報に基づいて少なくともディスプレイの輝度を調整するようにしたため、周囲の明るさ情報を生成するための専用の光センサを新たに設ける必要が無く、また、撮像時、非撮像時のいずれの場合も周囲の明るさ情報を生成することができる。
【００１０】
また、上記の目的を達成するため、第２の発明は、撮像時に撮像部から出力される光電変換された信号に対して所定の撮像処理を行って画像信号を生成する回路部の動作を、非撮像時に調光部から出力される光電変換された信号に対して停止することを特徴とする。この発明では、非撮像時に調光部から出力される光電変換された信号は、ディスプレイに表示するための信号ではないので、画像信号を生成する回路部の動作を停止することができ、それにより消費電力を低減できる。
【００１１】
また、上記の目的を達成するため、第３の発明は、ディスプレイの起動時に駆動手段を制御して調光部のみに駆動信号を供給し、ディスプレイの表示を停止する省電力モード時には駆動手段を制御して、撮像部及び調光部への駆動信号の供給を停止する制御手段を更に有することを特徴とする。この発明では、省電力モードのときには、ディスプレイは非表示状態とされており、周囲の明るさ情報を反映する必要が無いので、調光部も動作を停止させる。
【００１２】
また、上記の目的を達成するため、第４の発明は、輝度調整手段による輝度調整後に、明るさ情報生成手段により生成される周囲の明るさ情報が所定値以上に大きく変化したときに、明るさ情報生成手段により生成した周囲の明るさ情報に基づいて再度輝度調整手段による輝度の調整を行うことを特徴とする。この発明では、周囲の明るさの変化に対応した輝度調整ができる。
【００１３】
また、上記の目的を達成するため、第５の発明は、操作を行う操作部を有すると共に、搭載した撮像素子からの光電変換された信号を用いて画像表示をディスプレイに行うカメラ付き携帯端末において、ディスプレイの起動時に撮像素子から出力される光電変換された信号に基づいて、撮像素子の入射光量に応じた、周囲の明るさ情報を生成する明るさ情報生成手段と、周囲の明るさ情報に応じてディスプレイの輝度及び操作部のキーのバックライトの輝度のうちの一方又は両方を調整する輝度調整手段とを有することを特徴とする。この発明では、周囲に明るさを検出するための光センサを有しなくても、ディスプレイの輝度又はキーのバックライトの輝度の最適化を図ることができる。
【００１４】
また、第６の発明は、上記の輝度調整手段は、ディスプレイが液晶表示素子により構成されているときは、液晶表示素子に対して光を照射するバックライトに対する駆動電流を調整し、ディスプレイが有機ＥＬで構成されているときは、有機ＥＬの駆動電流を調整することを特徴とする。
【００１５】
また、上記の目的を達成するため、第７の発明は、照明装置により照明される被写体を撮像する撮像素子からの光電変換された信号を用いて画像表示をディスプレイに行うカメラ装置において、撮像素子の撮像領域から出力される光電変換された信号のうち、画像表示に用いる撮像信号を出力する第１の撮像領域により構成される撮像部と、撮像素子の撮像領域のうち画像表示に用いない光電変換された信号を出力する第２の撮像領域により構成される調光部と、カメラとして機能させる撮像時には撮像部のみに駆動信号を供給し、非撮像時には調光部のみに駆動信号を供給することで、撮像部と調光部とを互いに独立して動作させる駆動手段と、動作状態にある撮像部又は調光部から出力される光電変換された信号に基づいて、撮像部又は調光部の入射光量に応じた、周囲の明るさ情報を生成する明るさ情報生成手段と、周囲の明るさ情報に応じて照明装置の照明輝度を調整する輝度調整手段とを有することを特徴とする。この発明は第１の発明と同様の作用効果を有する。
【発明の効果】
【００１６】
本発明によれば、周囲の明るさ情報を生成するための専用の光センサを新たに設けることなく、撮像時、非撮像時のいずれの場合も周囲の明るさ情報を生成することができるため、搭載部品数の低減ができ、撮像時、非撮像時のいずれの場合もディスプレイ等の視認性の向上と、端末自体の小型化、薄型化との両立を可能にできる。
【００１７】
また、本発明によれば、光センサ機能を有することでディスプレイなど照明の電力の最適化が図れ、消費電力の低減による使用時間の長時間化や、視認性の高いカメラ付き携帯端末を提供できる。
【００１８】
更に、本発明によれば、既存のカメラの撮像素子の入射光用窓以外に、光センサ用の窓を開ける必要がないため、カメラ付き携帯端末のデザインの自由度を損なわない。
【発明を実施するための最良の形態】
【００１９】
次に、本発明の実施の形態について図面と共に説明する。図１及び図２は本発明になるカメラ付き携帯端末の一実施の形態の要部のブロック図を示し、図１は撮像部の動作停止時における本実施の形態の動作を説明するためのブロック図、図２は撮像部の動作時における本実施の形態の動作を説明するためのブロック図であり、両図中、同一構成部分には同一符号を付してある。
【００２０】
本発明は、カメラ付き携帯電話機、カメラ付き簡易型携帯電話機（ＰＨＳ）、カメラ付きノートパソコンなどのようなカメラが搭載されたカメラ付き携帯端末（本明細書では、カメラ付き携帯端末には、デジタルカメラのような携帯型のカメラ装置も含むものとする）に適用されるものであり、図１、図２では本実施の形態の特徴となる動作に関係する部分のみ図示している。
【００２１】
図１及び図２において、撮像部１１ａ及び調光部１１ｂは全体としてカメラ付き携帯端末における一つのカメラモジュールを構成しており、多数の画素が水平方向及び垂直方向に２次元マトリクス状に配列された、ＣＣＤ（Charge Coupled Device）あるいはＣＭＯＳ（Complementary Metal Oxide Semiconductor）等の撮像素子である。この撮像素子の撮像領域のうち、画像出力に使用する所定のサイズの第１の撮像領域が撮像部１１ａを構成し、画像出力に使用していない残りの小さなサイズの第２の撮像領域が調光部１１ｂを構成している。撮像部１１ａは被写体を撮像する。調光部１１ｂはこの携帯端末の周辺の明るさを検出するための光センサである。また、これら撮像部１１ａ及び調光部１１ｂは、互いに独立して動作するようにタイミングジェネレータ（ＴＧ）１２その他の周辺の駆動回路が設けられている。
【００２２】
また、信号処理部１３は撮像部１１ａ又は調光部１１ｂから、その入射光量に応じたレベルの電気信号を入力として受け、その入力電気信号のレベルに基づいて周囲の明るさ情報を生成する露光制御処理部１４と、入力電気信号に対してＡ／Ｄ変換、ホワイトバランス制御等の公知の処理を行うその他処理部１５とを有する。輝度調整部１６は信号処理部１３から入力された周囲の明るさ情報に基づいて、ディスプレイ１７の輝度を調整する。輝度調整部１６はディスプレイ１７が液晶表示素子（ＬＣＤ）であれば、そのバックライトの光量を制御する。バックライトは駆動電流を大きくすると輝度（光量）が大きくなる。また、ディスプレイ１７が有機ＥＬ（エレクトロ・ルミネッセンス）で構成されている場合は、有機ＥＬ自身の消費電流（駆動電流）を上げることで輝度（光量）を高くすることができる。ディスプレイ１７は撮像部１１ａで撮像した画像あるいは予め設定したメニュー画面等を表示する。
【００２３】
操作部１８はユーザーにより操作される各種キーなどから構成されており、ユーザーにより所望の情報が入力される。制御部１９は操作部１８からの入力操作情報に基づいて、ＴＧ１２やディスプレイ１７の動作を制御する。ＴＧ１２は制御部１９の制御の下に、撮像部１１ａと調光部１１ｂのいずれか一方のみに駆動信号を供給する。なお、輝度調整部１６は、操作部１８のキーのバックライトの輝度も調整可能である。
【００２４】
この実施の形態では、ディスプレイ１７の表示、非表示と連動して、調光部１１ｂの起動、停止を行う（ディスプレイの表示開始時に起動、非表示時に停止となる）。調光部１１ｂが動作している時は、周囲の明るさ情報を入手し、その情報を基に、ディスプレイ１７の輝度を変更し、見易さの改善を実施する。また、操作部１８などのキー照明等に関しても、周囲の明るさを元に発光量の調整を行う。
【００２５】
次に、撮像部１１ａの動作停止時の本実施の形態の動作について、図１のブロック図及び図３のフローチャートと共に説明する。まず、ユーザーが操作部１８を操作して本実施の形態のカメラ付き携帯端末の電源を投入すると、その電源投入操作に従い制御部１９からの制御信号に基づいて、ディスプレイ１７が起動する（図３のステップＡ３０１）。この起動時には、キーバックライトも点灯する。ここで、キーバックライトは、ディスプレイ１７のバックライトだけでなく、操作部１８のキーのバックライトを含む。なお、本実施の形態がカメラ付き折り畳み型携帯電話機の場合は、上部筐体と下部筐体との折り畳み状態からそれらを開いた時に、自動的にディスプレイ１７を起動すると共にキーバックライトを点灯することも可能である。
【００２６】
また、電源投入操作に従い制御部１９からの制御信号に基づいて、ＴＧ１２が図１に示すように調光部１１ｂのみに駆動信号の供給を開始して調光部１１ｂのみを独立して起動する（図３のステップＡ３０２）。このとき、撮像部１１ａにはＴＧ１２から駆動信号が供給されないため、撮像部１１ａは動作を停止している。
【００２７】
調光部１１ｂの起動により調光部１１ｂは本実施の形態のカメラ付き携帯端末の周囲からの入射光を光電変換して入射光量に応じたレベルの電気信号を出力し、信号処理部１３に供給する。信号処理部１３は内部の露光制御処理部１４にて入力電気信号のレベルに基づいて、調光部１１ｂの入射光量に対応した周囲の明るさ情報ａを生成する（図３のステップＡ３０３）。この周囲の明るさ情報ａを生成するための露光制御処理部１４の動作としては、例えばデジタルカメラが露光時間を決定する過程と同様の処理を用いることができる。すなわち、デジタルカメラでは、撮影した画像が白とび（明る過ぎて真っ白になる状態）にならないよう、センサに蓄積した入射光量を基にその場の明るさを認識してシャッタースピード等を中央処理装置（ＣＰＵ）が決定するような制御をしているが、露光制御処理部１４も蓄積した入射光量に基づいて、周囲の明るさ情報ａを生成する。
【００２８】
上記の周囲の明るさ情報ａは輝度調整部１６に供給されてディスプレイ１７の輝度を調整する（図３のステップＡ３０４）。このとき、ディスプレイ１７は、例えば、操作部１８により入力された情報、あるいはメニュー画面などが、図示しない所定の表示処理部を経由して供給され、それを表示している。
【００２９】
輝度調整部１６は、上記の輝度調整時は周囲の明るさ情報ａが明るいほどキーバックライトの輝度を明るくするように調整することにより、ディスプレイ１７に表示される画像の視認性を向上する。続いて、周囲の明るさが大きく変化したかどうかを判定し（図３のステップＡ３０５）、大きく変化したときは、信号処理部１３内の露光制御処理部１４からの周囲の明るさ情報ａを再度入手し（図３のステップＡ３０３）、ディスプレイ１７の輝度調整を再度実施する（図３のステップＡ３０４）。
【００３０】
ステップＡ３０５で周囲の明るさが大きく変化していないと判定したときは、制御部１９は操作部１８から省電力モードの指示がされたかどうかを監視し（図３のステップＡ３０６）、省電力モードのときには、制御部１９からの制御信号によりディスプレイ１７は非表示状態とされており、周囲の明るさ情報ａを反映する必要が無いので、調光部１１ｂも動作を停止させる（図３のステップＡ３０７）。
【００３１】
このように、撮像素子に駆動信号を供給するＴＧ１２は、調光部１１ｂにのみ駆動信号を供給し、調光部１１ｂから出力したデータは周囲の明るさ情報ａの入手のためにだけ使用される。また、撮像部１１ａの動作停止時は、扱うデータ量が少ない事、及び信号処理部１３において露光制御より後のその他処理部１５での画像データの処理を省く事で、カメラとして動作させる場合に比べて省電力を実現できる。キー操作等でディスプレイ１７を再起動させた場合（図３のステップＡ３０１）は、再び図３のステップＡ３０２〜Ａ３０４の動作が行われる。
【００３２】
次に、撮像部１１ａの動作時の本実施の形態の動作について説明する。このときは、操作部１８からの撮像素子起動の制御操作に基づき、制御部１９からの制御信号によりディスプレイ１７が起動されると共に、ＴＧ１２が図２に示すように撮像部１１ａのみに駆動信号の供給を開始して撮像部１１ａのみを独立して起動する。このとき、調光部１１ｂにはＴＧ１２から駆動信号が供給されないため、調光部１１ｂは動作を停止している。
【００３３】
これにより、撮像部１１ａにより被写体からの入射光を光電変換して得られた電気信号は、図２に示すように信号処理部１３に供給され、その露光制御処理部１４でその信号レベルに応じた周囲の明るさ情報ｂが生成されて輝度調整部１６に供給される一方、信号処理部１３内のその他処理部１５で、Ａ／Ｄ変換、ホワイトバランス制御等の通常の撮像処理が施されて画像出力信号とされる。
【００３４】
輝度調整部１６は、入力されたその周囲の明るさ情報ｂに基づいてディスプレイ１７の輝度を調整する。このとき、ディスプレイ１７は、信号処理部１３から出力された画像出力信号による被写体画像を表示している。輝度調整部１６は、上記の輝度調整時は周囲の明るさ情報ｂが明るいほどキーバックライトの輝度を明るくするように調整することにより、ディスプレイ１７に表示される画像の視認性を向上する。
【００３５】
このように、本実施の形態では、撮像部１１ａの動作時は、撮像素子に駆動信号を供給するＴＧ１２は撮像部１１ａにのみ駆動信号を供給し、撮像部１１ａの出力電気信号（撮像信号）に基づいて、撮像部１１ａの入射光量に対応した周囲の明るさ情報ｂを生成し、その周囲の明るさ情報ｂを輝度調整部１６に供給するようにしたため、ディスプレイ１７の輝度を周囲の明るさに対応して調整することができ、視認性を向上できる。
【００３６】
また、本実施の形態では、一つの撮像素子の画像出力に使用していない撮像領域を調光部１１ｂとして利用しているため、周囲の明るさ検出用の専用の光センサを不要にできるため、搭載部品数の低減ができ、携帯端末の小型化、薄型化に有利である。これは言い換えれば、光センサを搭載しているカメラ付き携帯端末にこのカメラモジュールを用いれば、撮像機能を追加出来る事を意味している。ただし、この場合は光センサ単体で用いた時より搭載面積は拡張される。
【００３７】
また、本実施の形態では、光センサ機能を有することでディスプレイなど照明の電力の最適化が図れ、消費電力の低減による使用時間の長時間化や、視認性の高いカメラ付き携帯端末を提供する事が可能となる。更に、本実施の形態によれば、携帯端末のデザインの自由度を損なわないという特長もある。既存のカメラ用の窓以外に、光センサ用の窓を開ける必要がないからである。
【００３８】
なお、本発明は上記の実施の形態に限定されるものではなく、調光部を持たない既存のカメラ付き携帯端末にも適用可能である。この場合、図３のステップＡ３０１のタイミングでカメラ付き携帯端末を起動させ、これにより得られる撮像信号に基づいて周囲の照度情報を取得し、その照度情報に応じてディスプレイの輝度の最適化を図ることができる。ただし、この場合は明るさの変化をある設定したタイミングでしか感知できないため、上記の実施の形態の携帯端末ほどの環境の変化への追従性を持たせる事はできないが、明るさ情報取得時にその他処理部１５の処理を一時停止させることで、既存のカメラ付き携帯端末の起動時よりも若干の消費電力低減効果は得られる。
【００３９】
また、本発明をカメラ付きの折り畳み型携帯電話機に適用する場合、カメラ（撮像素子）は表示部（ディスプレイ）と同じ筐体内側面に設けられたＴＶ電話用カメラを利用することで、ディスプレイの周囲の明るさ情報を取得することができる。また、上記の実施の形態ではディスプレイの輝度を周囲の明るさ情報に応じて調整するように説明したが、キーのバックライトなどの輝度を周囲の明るさ情報に応じてディスプレイの輝度と共に又はディスプレイの輝度に替えて調整することも可能である。
【００４０】
更に、本発明は、携帯端末に限定されるものではなく、例えば防犯カメラなどのカメラに調光部を設け、周囲の明るさに応じて被写体を照明する照明装置（防犯カメラの場合は屋外監視の場合は外灯、あるいは屋内監視の場合は室内灯）の輝度を可変するカメラ装置にも適用することができる。
【図面の簡単な説明】
【００４１】
【図１】本発明のカメラ付き携帯端末の一実施の形態の要部のブロック図（その１）である。
【図２】本発明のカメラ付き携帯端末の一実施の形態の要部のブロック図（その２）である。
【図３】図１の動作説明用フローチャートである。
【符号の説明】
【００４２】
１１ａ  撮像部
１１ｂ  調光部
１２  タイミングジェネレータ（ＴＧ）
１３  信号処理部
１４  露光制御処理部
１５  その他処理部
１６  輝度調整部
１７  ディスプレイ
１８  操作部
１９  制御部
【図１】
2008113333.tif 000003
【図２】
2008113333.tif 000004
【図３】
2008113333.tif 000005